(57)【要約】【課題】  収納姿勢へチルト操作するときにおける薄型テレビの破損や故障を効果的に防止可能な薄型テレビの支持装置及び薄型テレビ付きキャビネットを提供する。【解決手段】  薄型テレビを取付可能な支持アーム２１と、支持アーム２１を鉛直軸心回りのスイベル方向に回動自在に案内するスイベル方向案内手段２３と、支持アーム２１を水平軸心回りのチルト方向に回動自在に案内するチルト方向案内手段２４とを有し、薄型テレビを吊り下げた状態に支持する薄型テレビの支持装置２０であって、薄型テレビが正面を向くスイベル方向基準位置において、薄型テレビを水平な収納姿勢までチルト可能となし、スイベル方向基準位置以外のスイベル方向位置において、薄型テレビが設定角度以上に収納姿勢側へチルトすることを制限するチルト制限手段２５を設けた。【選択図】        図９
2006246192.tif 000002
【特許請求の範囲】
【請求項１】
薄型テレビを取付可能な支持アームと、支持アームを鉛直軸心回りのスイベル方向に回動自在に案内するスイベル方向案内手段と、支持アームを水平軸心回りのチルト方向に回動自在に案内するチルト方向案内手段とを有し、薄型テレビを吊り下げた状態に支持する薄型テレビの支持装置であって、
前記薄型テレビが正面を向くスイベル方向基準位置において、薄型テレビを水平な収納姿勢までチルト可能となし、スイベル方向基準位置以外のスイベル方向位置において、薄型テレビが設定角度以上に収納姿勢側へチルトすることを制限するチルト制限手段を設けた、
ことを特徴とする薄型テレビの支持装置。
【請求項２】
前記チルト制限手段として、支持アームの基端部にチルト制限部を形成し、スイベル方向基準位置において、薄型テレビが収納姿勢までチルトするように、チルト制限部の移動を許容するチルト許容空間を形成し、スイベル方向基準位置以外のスイベル方向位置において、薄型テレビが設定角度以上に収納姿勢側へチルトしないように、チルト制限部に当接するチルト規制面を形成した請求項１記載の薄型テレビの支持装置。
【請求項３】
前記収納姿勢に保持した薄型テレビが下側へチルトしないようにロックするチルトロック手段を設けた請求項１又は２記載の薄型テレビの支持装置。
【請求項４】
前記チルト方向案内手段では、収納姿勢において薄型テレビの画面が上側を向くように薄型テレビをチルト方向に案内する請求項１〜３のいずれか１項記載の薄型テレビの支持装置。
【請求項５】
前記支持アームをスライド自在に案内するスライド方向案内手段を設けた請求項１〜４のいずれか１項記載の薄型テレビの支持装置。
【請求項６】
前記支持アームのスライド方向への移動を所望位置において規制するスライドロック手段を設けた請求項５記載の薄型テレビの支持装置。
【請求項７】
テレビ収納部の上板の下面に請求項１〜６のいずれか１項記載の薄型テレビの支持装置を固定し、テレビ収納部内に薄型テレビが吊り下げ状態で配置されるように、支持装置の支持アームに薄型テレビを固定したことを特徴とする薄型テレビ付きキャビネット。
【発明の詳細な説明】
【技術分野】
【０００１】
本発明は、薄型テレビの支持装置及び薄型テレビ付きキャビネットに関する。
【背景技術】
【０００２】
キャビネットとして、上部にテレビを収納するための収納スペースを設け、下部に身の回り品や冷蔵庫を収納するための収納スペースを設け、途中部に食事天板と小物類を収納するための引き出しを上下に隣接配置した床頭台が、ホテルや病院等において広く用いられている（例えば、特許文献１参照。）。
【０００３】
また、最近では、液晶テレビなどの薄型テレビを組み付けた床頭台も提案されている（例えば、特許文献２参照。）。この特許文献２記載には、薄型テレビの取付装置として、薄型テレビを取付可能な支持アームと、支持アームを鉛直軸心回りのスイベル方向に回動自在に案内するスイベル方向案内手段と、支持アームを水平軸心回りのチルト方向に回動自在に案内するチルト方向案内手段と、支持アームをスライド自在に案内するスライド方向案内手段とを有し、テレビ収納部の上部内に薄型テレビを吊り下げた状態に支持するように構成したものが開示されている。
【０００４】
【特許文献１】登録実用新案第３０８１０４７号公報
【特許文献２】特開平１１−２７６５３０号公報
【発明の開示】
【発明が解決しようとする課題】
【０００５】
ところで前記特許文献２記載の取付装置では、薄型テレビのスイベル方向位置に関係なく、薄型テレビを収納姿勢までチルト可能に構成されていることから、薄型テレビの画面が正面を向くスイベル方向基準位置に対してスイベル方向に傾いた状態で、収納姿勢側へ薄型テレビをチルトさせたときに、薄型テレビの側部や端部が床頭台の内壁に接触して、薄型テレビが破損することが懸念される。
【０００６】
また、前記特許文献２記載の取付装置では、薄型テレビを所望のスライド位置でロックするためのロック手段を備えていないことから、スライド方向への操作性を高めるため、スライド方向への移動抵抗を極力小さく設定すると、チルト操作時やスイベル操作時に、薄型テレビが前後方向にスライドして、チルトやスイベルの操作性が低下したり、床頭台を移動させるときに、薄型テレビが勢いよくスライドして、前端位置や後端位置において薄型テレビに大きな衝撃力が作用したりするという問題があり、スライド方向への移動抵抗を小さく設定できず、スライド方向への操作性が低下するという問題がある。また、薄型テレビを収納姿勢にロックする手段も備えていないことから、床頭台の移動時に床面からの振動で、薄型テレビが収納姿勢から下側へ移動し、薄型テレビの破損や故障を招来することも考えられる。
【０００７】
更に、画面を下側へ向けた水平な収納姿勢で薄型テレビを収納する関係上、薄型テレビの画面上に塵や埃が堆積することを防止できるものの、薄型テレビの下側に収納した物品を取り出すときに、該物品が薄型テレビの画面に接触して、薄型テレビを破損することも考えられる。また、後方へ回動させて薄型テレビを収納姿勢に移動させる関係上、薄型テレビを収納姿勢へ移動させる際に、薄型テレビの下端部が床頭台の裏板に接触しないよう、薄型テレビを最前位置までスライドさせる必要があり、その操作が煩雑になるという問題もある。
【０００８】
本発明の目的は、収納姿勢へチルト操作するときにおける薄型テレビの破損や故障を効果的に防止可能な薄型テレビの支持装置及び薄型テレビ付きキャビネットを提供することである。
【課題を解決するための手段】
【０００９】
本発明に係る薄型テレビの支持装置は、薄型テレビを取付可能な支持アームと、支持アームを鉛直軸心回りのスイベル方向に回動自在に案内するスイベル方向案内手段と、支持アームを水平軸心回りのチルト方向に回動自在に案内するチルト方向案内手段とを有し、薄型テレビを吊り下げた状態に支持する薄型テレビの支持装置であって、前記薄型テレビが正面を向くスイベル方向基準位置において、薄型テレビを水平な収納姿勢までチルト可能となし、スイベル方向基準位置以外のスイベル方向位置において、薄型テレビが設定角度以上に収納姿勢側へチルトすることを制限するチルト制限手段を設けたものである。
【００１０】
この支持装置では、画面が見やすくなるように、スイベル方向案内手段により鉛直軸心回りのスイベル方向に対する薄型テレビの角度を調整するとともに、チルト方向案内手段により水平方向軸心回りのチルト方向に対する薄型テレビの角度を調整して薄型テレビを見ることができる。また、薄型テレビを正面に向けないと、チルト制限手段により、薄型テレビを設定角度以上に収納姿勢側へチルトできないので、薄型テレビがスイベル方向に傾いた状態で、収納姿勢までチルトされることによる不具合、即ち薄型テレビの側部や端部がテレビ収納部の内壁面に接触して、破損するという不具合を未然に防止することができる。尚、前記設定角度は、それ未満の角度範囲でチルト方向に角度調整した状態においても、画面の見やすさを十分に確保でき、しかも設定角度までチルトさせてスイベル操作したときに、薄型テレビの端部がテレビ収容部の内壁に接触しない角度に設定することになる。
【００１１】
ここで、前記チルト制限手段として、支持アームの基端部にチルト制限部を形成し、スイベル方向基準位置において、薄型テレビが収納姿勢までチルトするように、チルト制限部の移動を許容するチルト許容空間を形成し、スイベル方向基準位置以外のスイベル方向位置において、薄型テレビが設定角度以上に収納姿勢側へチルトしないように、チルト制限部に当接するチルト規制面を形成すること、前記収納姿勢に保持した薄型テレビが下側へチルトしないようにロックするチルトロック手段を設けること、前記チルト方向案内手段では、収納姿勢において薄型テレビの画面が上側を向くように薄型テレビをチルト方向に案内すること、前記支持アームをスライド自在に案内するスライド方向案内手段を設けること、前記支持アームのスライド方向への移動を所望位置において規制するスライドロック手段を設けること、などが好ましい実施例である。
【００１２】
本発明に係る薄型テレビ付きキャビネットは、テレビ収納部の上板の下面に前記薄型テレビの支持装置を固定し、テレビ収納部内に薄型テレビが吊り下げ状態で配置されるように、支持装置の支持アームに薄型テレビを固定したものである。
【００１３】
この薄型テレビ付きキャビネットでは、テレビ収容部の上板の下面に固定した前記支持装置の支持アームに吊り下げた状態で薄型テレビを取り付けており、薄型テレビをスイベル方向基準位置に操作した状態、即ち薄型テレビの画面が正面を向いた状態でないと、薄型テレビを水平な収納姿勢までチルトできない。このため、薄型テレビがスイベル方向に傾いた状態で、収納姿勢までチルトされることによる不具合、即ち薄型テレビの側部や端部がテレビ収容部の内壁面に接触して、破損するという不具合を未然に防止することができる。
【発明の効果】
【００１４】
本発明に係る薄型テレビの支持装置及び薄型テレビ付きキャビネットによれば、薄型テレビを正面に向けないと、チルト制限手段により、薄型テレビを設定角度以上に収納姿勢側へチルトできないので、薄型テレビがスイベル方向に傾いた状態で、収納姿勢までチルトされることによる不具合、即ち薄型テレビの側部や端部がテレビ収納部の内壁面に接触して、破損するという不具合を未然に防止することができる。収納姿勢側へ薄型テレビをチルト操作するときに、薄型テレビの端部がテレビ収納部の内壁に接触して破損するという不具合を未然に防止することができる。
【００１５】
ここで、前記チルト制限手段として、支持アームの基端部にチルト制限部を形成し、スイベル方向基準位置において、薄型テレビが収納姿勢までチルトするように、チルト制限部の移動を許容するチルト許容空間を形成し、スイベル方向基準位置以外のスイベル方向位置において、薄型テレビが設定角度以上に収納姿勢側へチルトしないように、チルト制限部に当接するチルト規制面を形成すると、簡単な構成のチルト制限手段により、薄型テレビを収納姿勢までチルトするときにおける前記不具合を未然に防止できる。
【００１６】
前記収納姿勢に保持した薄型テレビが下側へチルトしないようにロックするチルトロック手段を設けると、例えばこの支持装置を用いて薄型テレビをキャビネットに組み付けた場合において、キャビネットを移動させるときにおける振動で、薄型テレビが収納姿勢からその下側へ不用意に回動して、故障したり破損したりすることを未然に防止できる。
【００１７】
前記チルト方向案内手段では、収納姿勢において薄型テレビの画面が上側を向くように薄型テレビをチルト方向に案内すると、例えばこの支持装置を用いて薄型テレビをキャビネットの上板の下側に組み付けた場合において、キャビネットの上板により薄型テレビの画面が保護されるので、画面に他物が接触することによる薄型テレビの破損や故障を未然に防止することが可能となる。また、薄型テレビを前側に回動させて、収納姿勢に切り換えることができるので、スライド方向の任意の位置で薄型テレビを収納姿勢までチルトすることが可能となり、薄型テレビの収納位置への操作性を向上できる。
【００１８】
前記支持アームをスライド自在に案内するスライド方向案内手段を設けると、薄型テレビをより見やすい位置に位置調整することができる。また、スライド方向案内手段を設ける場合において、前記支持アームのスライド方向への移動を所望位置において規制するスライドロック手段を設けると、例えばこの支持装置を用いて薄型テレビをキャビネットに組み付けた場合において、キャビネットを移動させるときに、薄型テレビが不用意に前後移動して、スライド方向の前端位置や後端位置で薄型テレビに大きな衝撃が作用することを防止できる。
【発明を実施するための最良の形態】
【００１９】
以下、本発明の実施例について図面を参照しながら説明する。
図１に示す床頭台１について説明すると、床頭台本体２の下面には床面上を移動自在に床頭台本体２を支持する４つのキャスター３が設けられ、床頭台本体２の下部には開き戸４を有する収納ボックス５が設けられ、床頭台本体２の上部には上棚６と下棚７とが上下に間隔をあけて配置され、上棚６と下棚７間には収納スペース８が設けられている。床頭台本体２の高さ方向の途中部には、食事天板９と引き出し１０とが前後方向にスライド自在に上下に隣接配置されている。
【００２０】
床頭台本体２の後部には上方へ延びる側面視倒立Ｌ字状の左右１対の支持棒１１が固定され、支持棒１１の前側へ延びるアーム部（図示略）上には略水平な上板１２が固定載置され、床頭台１の移動時に支持棒１１間の隙間から前方を無理なく目視できるように構成されている。上板１２と上棚６間にはテレビ収容部１５が形成され、上板１２の下面における左右方向の略中央部には支持装置２０が固定され、薄型テレビ１３は上板１２の下側のテレビ収容部１５内において、支持装置２０の支持アーム２１に吊り下げた状態で支持されている。上棚６の下側には薄型テレビ１３の使用時における課金装置１４が組み込まれ、この課金装置１４にプリペイドカードを挿入することで、設定時間だけ薄型テレビ１３を利用できるように構成されている。
【００２１】
但し、床頭台１としては、支持装置２０を組み付けて薄型テレビ１３を吊り下げ状態で支持可能な構成のものであれば任意の構成のものを採用することができる。また、本実施例では、床頭台１に本発明を適用した場合について説明するが、整理棚やベッドサイドテーブル、飾り棚などを含むキャビネットに対しても本発明を同様に適用することができる。更に、建築物の天井面や建築物に一体的に組み込んだ棚等に支持装置２０を固定して、これに薄型テレビ１３を吊り下げた状態で支持することも可能である。また、薄型テレビ１３とは、液晶ディスプレイやプラズマディスプレイなどを備えた前後方向に薄型なテレビ受像機を意味する。
【００２２】
支持装置２０は、図２〜図９に示すように、薄型テレビ１３を取付可能な支持アーム２１と、支持アーム２１を前後方向にスライド自在に案内するスライド方向案内手段２２と、支持アーム２１を鉛直軸心回りのスイベル方向に回動自在に案内するスイベル方向案内手段２３と、支持アーム２１を水平軸心回りのチルト方向に回動自在に案内するチルト方向案内手段２４と、薄型テレビ１３の画面を正面側へ向けた図１のスイベル方向基準位置において、薄型テレビ１３を図４に実線で図示の水平な収納姿勢と鉛直方向よりもやや後方へ傾斜させたチルト下限姿勢とにわたる設定角度Ｔθ１までチルト可能となし、スイベル方向基準位置以外のスイベル方向位置において、薄型テレビ１３がチルト下限姿勢から画面をやや上側へ向けた設定角度Ｔθ２までチルト可能となし、設定角度Ｔθ２以上に収納姿勢側へチルトすることを制限するチルト制限手段２５（図１０、図１１参照）とを備えている。設定角度Ｔθ２は、スイベル方向に薄型テレビ１３の画面を調整した状態で、薄型テレビ１３をチルト方向に見やすく調整可能な一定角度の範囲に設定できる。
【００２３】
スライド方向案内手段２２について説明すると、図１〜図５、図７、図１０〜図１３に示すように、上板１２の下面の左右方向の略中央部には前後方向に延びるベースフレーム３０が固定され、このベースフレーム３０は、左右１対の側壁部３０ａと上板１２に固定される取付壁部３０ｂとから断面略コ字状に形成されている。ベースフレーム３０の左右の側壁部３０ａにおける高さ方向の途中部には前後方向に延びるガイドスリット３１が略全長に亙って形成され、ベースフレーム３０の前端部にはベースフレーム３０の前面部を覆う前壁部３０ｃが形成され、取付壁部３０ｂの後部には作業孔３０ｄが形成されている。
【００２４】
ベースフレーム３０の内側には上面側を開口させた箱型のスライド部材３２が装着され、スライド部材３２における左右の側壁部３２ａの外面側にはガイドスリット３１に嵌合する前後１対のガイド輪３３が間隔をあけてそれぞれ設けられている。各ガイド輪３３は側壁部３２ａに固定した左右方向の軸部材３４に回転自在に支持され、ガイドスリット３１とガイド輪３３間には上下方向に僅かな隙間が形成され、スライド部材３２は４つのガイド輪３３によりガイドスリット３１に沿って、図４に実線で図示の前進位置と、仮想線で図示の後退位置とに亙って、す前後方向（図４に矢印Ｓで示す方向）に移動自在に支持されている。尚、符号３９は、スライド部材３２の後退位置を規制するストッパー部材である。
【００２５】
ベースフレーム３０とスライド部材３２間には、支持アーム２１のスライド方向への移動を所望位置において規制するスライドロック手段３５が設けられている。このスライドロック手段３５について説明すると、右側に配置される前後のガイド輪３３間にはストッパー部材３６が設けられ、このストッパー部材３６は、ガイドスリット３１に嵌合してガイドスリット３１に沿って前後方向に案内される案内部３６ａと、ベースフレーム３０の側壁部３０ａの側方へ延びる押圧部３６ｂとから横向き略Ｔ字状に形成されている。ストッパー部材３６にはロックノブ３８が設けられ、ロックノブ３８にはストッパー部材３６を挿通してスライド部材３２に螺合されるネジ棒３７が設けられ、ロックノブ３８をネジ棒３７の締め付け方向に操作すると、ストッパー部材３６がスライド部材３２側へ移動して、ストッパー部材３６の押圧部３６ｂがスライド部材３２の側壁部３２ａに圧接されて、ベースフレーム３０に対するスライド部材３２の前後方向への移動がロックされ、ネジ棒３７を緩める方向にロックノブ３８を操作すると、押圧部３６ｂがスライド部材３２から離間してロックが解除され、スライド部材３２をベースフレーム３０に対して任意の前後方向位置へ操作できるように構成されている。尚、符号９０は、ネジ棒３７に対応する位置においてスライド部材３２に内装され、両端部をスライド部材３２の側壁部３２ａに固定した補強部材で、この補強部材９０によりロックノブ３８を締め付けたときにおける荷重の一部を受け止めるように構成されている。
【００２６】
スイベル方向案内手段２３について説明すると、図６〜図１３に示すように、スライド部材３２の下側にはガイド板４０が固定され、ガイド板４０の下側には下面を開放した箱状のスイベル部材４１が設けられている。スイベル部材４１の上面の略中央部にはヒンジ手段４２が支軸４３を上下方向にして設けられ、スイベル部材４１はヒンジ手段４２によりスライド部材３２に対して支軸４３回りのスイベル方向に回動自在に連結支持されている。
【００２７】
ヒンジ手段４２は、図９に示すように、支軸４３と、３枚の摩擦板４４と、ウェーブワッシャ４５と、受け板４６とを備えている。支軸４３の高さ方向の途中部には鍔部４３ａが形成され、鍔部４３ａよりも上側部分にはネジ部４３ｂが形成され、鍔部４３ａよりも下側部分には軸部４３ｃが形成されている。ヒンジ手段４２をスイベル部材４１に組み付ける際には、軸部４３ｃにウェーブワッシャ４５と摩擦板４４を装着した状態で、スイベル部材４１の上壁部４１ａに形成した挿通孔４７に上側から軸部４３ｃを挿通させ、その後２枚の摩擦板４４と受け板４６とを上壁部４１ａの下面側から軸部４３ｃを装着して、軸部４３ｃの下端部をかしめることで、スイベル部材４１に一体的に組み付けられている。また、ヒンジ手段４２をスライド部材３２に組み付ける際には、図７に示すように、ガイド板４０に形成した略半円状の開口部５３及びスライド部材３２の下壁部３２ｂに形成した挿通孔４８にネジ部４３ｂを挿通させ、下壁部３２ｂの上側からネジ部４３ｂにスプリングワッシャ４９ａ及び座金４９ｂを装着した状態で、ネジ部４３ｂに対してナット部材５０を締結して、スライド部材３２に組み付けることになる。尚、スイベル部材４１の上壁部４１ａに対面する２枚の摩擦板４４には、上壁部４１ａに形成した係止孔５１に嵌合する１対の係止爪４４ａがそれぞれ形成され、摩擦板４４によりスイベル方向への回動操作時に適度な操作抵抗が確実に得られるように構成されている。また、ヒンジ手段４２としては、これ以外の構成のものを採用することも可能である。
【００２８】
図６〜図９に示すように、スイベル部材４１の上壁部４１ａにおいてヒンジ手段４２の前側には角度規制ピン５２が上方へ向けて突出形成され、スライド部材３２の下面に固定されたガイド板４０には支軸４３及び角度規制ピン５２が挿通する略半円状の開口部５３が形成されている。そして、図６に示すように、角度規制ピン５２が開口部５３の規制縁５３ａに当接することで、スライド部材３２に対するスイベル部材４１の支軸４３回りのスイベル方向への回動角度が規制され、薄型テレビ１３の画面を正面に向けた実線で図示のスイベル方向基準位置を中心として、左右にそれぞれ設定角度ＳＬθ、ＳＲθだけ回動できるように構成されている。例えば、スイベル方向基準位置を中心として、左右にそれぞれ９０°〜１２０°の角度範囲で回動できるように設定されている。但し、この設定角度ＳＬθ、ＳＲθは任意に設定可能であり、また左右の設定角度ＳＬθ、ＳＲθは同じに設定してもよいし、異なる角度範囲に設定してもよい。
【００２９】
支持アーム２１は、図１〜図５、図８、図９に示すように、前面に薄型テレビ１３を取り付けるための略平坦な取付面５４ａを有する取付板５４と、取付板５４の裏面側に固定されて取付板５４を補強する補強板５５と、補強板５５の上部に左右に間隔をあけて固定した左右１対の略平板状の連結板５６とを備えている。但し、補強板５５を省略して連結板５６を取付板５４に直接固定することも可能である。
【００３０】
チルト方向案内手段２４は、図４に示すように、画面を上向きして薄型テレビ１３を略水平にした仮想線で図示の収納姿勢と、画面をやや下側に向けて薄型テレビ１３をやや後方へ傾斜させた仮想線で図示のチルト下限姿勢とに亙って、水平方向の支軸６１回りに薄型テレビ１３を回動自在に支持すためのもので、図９〜図１３に示すように、支持アーム２１の左右の連結板５６にそれぞれ組み付けたヒンジ手段６０と、薄型テレビ１３を収納姿勢に保持する保持手段５９と、薄型テレビ１３が正面を向くスイベル方向基準位置において、薄型テレビ１３を水平な収納姿勢までチルト可能となし、スイベル方向基準位置以外のスイベル方向位置において、薄型テレビ１３が設定角度Ｔθ２以上に収納姿勢側へチルトすることを制限するチルト制限手段２５とを備えている。
【００３１】
両ヒンジ手段６０は左右対称に構成され、支軸６１と、４枚の摩擦板６２と、ウェーブワッシャ６３と、スペーサ板６４と、受け板６５とをそれぞれ備えている。支軸６１は、左右方向の途中部に鍔部６１ａを形成し、鍔部６１ａよりもスイベル部材４１側に断面小判形の係止軸部６１ｂを形成し、鍔部６１ａよりもスイベル部材４１とは反対側に軸部６１ｃを形成したものである。ヒンジ手段６０を連結板５６に組み付ける際には、軸部６１ｃに２枚の摩擦板６２を装着した状態で、連結板５６の挿通孔６６に軸部６１ｃを挿通させ、その後２枚の摩擦板６２とウェーブワッシャ６３とスペーサ板６４と受け板６５とを軸部６１ｃに装着して、軸部６１ｃの端部をかしめることで、連結板５６に一体的に組み付けている。また、支持アーム２１をスイベル部材４１に固定する際には、例えば、一方の連結板５６のヒンジ手段６０における係止軸部６１ｂをスイベル部材４１の一方の側壁部４１ｂに形成した係合孔６７に嵌合させて、スイベル部材４１の内側から係止軸部６１ｂにスプリングワッシャ６８ａと座金６８ｂとを装着し、係止軸部６１ｂに固定ネジ６８を締結して一方の連結板５６をスイベル部材４１に組み付け、次に一方の連結板５６と同様に他方の連結板５６をスイベル部材４１の他方の側壁部４１ｂに組み付けて、両連結板５６を支持アーム２１の補強板５５にネジ止めすることにより組み付けることができる。尚、連結板５６に対面する２枚の摩擦板６２には、連結板５６に形成した嵌合孔６９に嵌合する１対の係止爪７０がそれぞれ形成され、摩擦板４４によりチルト方向への回動操作時に適度な操作抵抗が確実に得られるように構成されている。また、ヒンジ手段６０としては、これ以外の構成のものを採用することも可能である。
【００３２】
図９〜図１１に示すように、連結板５６にはスイベル部材４１側へ突出する係合片７１が一体的に折曲形成され、スイベル部材４１の側壁部４１ｂにはチルト上限規制部７２とチルト下限規制部７３とが形成され、図１１に示すように、係合片７１がチルト上限規制部７２に当接することで、収納姿勢以上に薄型テレビ１３が上方へチルトしないように構成され、図１０に示すように、係合片７１がチルト下限規制部７３に当接することで、チルト下限姿勢以上に薄型テレビ１３が後方へチルトしないように構成されている。
【００３３】
保持手段５９について説明すると、図９、図１２、図１３に示すように、スイベル部材４１の上壁部４１ａの下面側には正面視略下向きコ字状の案内部材７４が設けられ、案内部材７４の左右の縦壁とスイベル部材４１の左右の側壁部４１ｂには左右１対の規制ピン７５が左右方向に移動自在に装着されている。左右の規制ピン７５間には圧縮コイルバネからなる弾性部材７６が設けられ、規制ピン７５の先端部は案内部材７４及びスイベル部材４１の側壁部４１ｂの挿通孔４１ｃを貫通して連結板５６に圧接されている。連結板５６には、薄型テレビ１３を収納姿勢に回動させた状態で、規制ピン７５に嵌合する嵌合孔７７が形成され、規制ピン７５の先端部は半球面状に形成され、規制ピンの直径は嵌合孔の直径よりも小径に形成され、薄型テレビ１３を収納姿勢に回動させた状態で、図１３に示すように規制ピン７５の先端部が嵌合孔７７に係合して、弾性部材７６の付勢力に抗して一定以上の力を加えないと、薄型テレビ１３を収納姿勢から下側へ移動できないように構成され、収納姿勢に保持している薄型テレビ１３が容易に下側へ移動できないように構成されている。
【００３４】
左右の連結板５６の基部とスイベル部材４１とを覆う上面開放の箱状のカバー部材８４が設けられ、カバー部材８４には連結板５６が挿通する１対のスリット８５が下壁部と後壁部とにわたって形成され、カバー部材８４の前部はスイベル部材４１にネジ止め、後部は固定片９１を介在させてスイベル部材４１にネジ止めされている。図３、図９〜図１１に示すように、連結板５６とスイベル部材４１の側壁部４１ｂとカバー部材８４には薄型テレビ１３を収納姿勢にチルトさせた状態で連通するロック孔７８と切欠部７９と挿通孔８６が形成され、薄型テレビ１３を収納姿勢にチルトさせた状態で、ロック孔７８と切欠部７９と挿通孔８６に亙ってロックピン８０を挿入することで、薄型テレビ１３が収納姿勢から下側へ回動することを確実に防止できるように構成され、床頭台１の移動時等において、薄型テレビ１３が収納姿勢から下側へ不用意にチルトすることによる、薄型テレビ１３の破損や故障を防止できるように構成されている。
【００３５】
チルト制限手段２５について説明すると、図６〜図１３に示すように、ヒンジ手段４２よりも前側において連結板５６の上縁にはチルト制限部８１が形成され、スイベル部材４１及びガイド板４０にはチルト制限部８１が挿入可能な前後方向に細長い左右１対のチルト許容スリット（これがチルト許容空間に相当する）８２が形成されている。チルト許容スリット８２は、薄型テレビ１３をスイベル方向に対してその画面を正面に向けたスイベル方向基準位置に位置させた状態で、薄型テレビ１３を設定角度Ｔθ２以上に収納姿勢側へチルトさせたときに、チルト制限部８１を受け入るように配置され、薄型テレビ１３がスイベル方向に対してスイベル方向基準位置以外に位置する場合には、設定角度Ｔθ２の角度範囲内において自由にチルトできるが、設定角度Ｔθ２以上に収納姿勢側へチルトさせようとすると、チルト制限部８１がガイド板４０の下面に当接して収納姿勢側へのチルト操作が規制されるように構成されている。また、チルト制限部８１がチルト許容スリット８２に挿通された状態では、チルト制限部８１がチルト許容スリット８２の口縁に係合することで、スイベル方向への薄型テレビ１３の回動が規制されるように構成されている。但し、薄型テレビ１３の側部や端部がテレビ収容部１５の内壁に接触しない範囲内において、スイベル方向基準位置からスイベル方向に対して一定角度の範囲内であれば、チルト許容スリット８２の幅を大きく設定するなどして、薄型テレビ１３を収納姿勢までチルトできるように構成することも可能である。
【００３６】
尚、図５に示す符号８７、８８は、スイベル方向基準位置に薄型テレビ１３を位置合わせするための矢印を印刷したシールであり、ベースフレーム３０又はスライド部材３２の前面に貼り付けたシール８７の下向きの矢印と、カバー部材８４の前面に貼り付けたシール８８の上向きの矢印とが向き合うようにスイベル方向に薄型テレビ１３を位置調整することで、薄型テレビ１３をスイベル方向基準位置に位置合わせできるように構成されている。但し、薄型テレビ１３をスイベル方向基準位置に位置させた状態では、それ以外の位置でスイベル方向へ操作する場合と比較して操作抵抗を大きく設定し、薄型テレビ１３をスイベル方向基準位置に容易に位置決めできるように構成することも可能である。
【００３７】
この支持装置２０では、画面を上側にして薄型テレビ１３を収納姿勢に保持できるので、収納姿勢において薄型テレビ１３の画面を床頭台１の上板１２で覆うことができるので、画面に対して塵や埃などが堆積することを防止できるし、画面に他物が接触することを防止して、薄型テレビ１３の画面を保護することができる。
【００３８】
また、スイベル方向基準位置に薄型テレビ１３を位置させた状態でないと、設定角度Ｔθ２以上に収納姿勢側へ型テレビ１３をチルト操作できないので、薄型テレビ１３がスイベル方向に傾いた状態で、収納姿勢側へ操作されることを防止して、薄型テレビ１３の端部や側部が床頭台１の内壁に接触することによる、薄型テレビ１３の破損を効果的に防止することができる。しかも、収納姿勢に移動させた状態で、薄型テレビ１３のスイベル方向への移動が規制されるので、収納姿勢において１本のロックピン８０をロック孔７８と切欠部７９と挿通孔８６とに亙って装着するだけで、薄型テレビ１３をスイベル方向及びチルト方向にその移動を規制することができ、１本のロックピン８０を装着するという簡単な作業により、床頭台１の移動時における振動で薄型テレビ１３がスイベル方向やチルト方向に回動することを確実に防止することができる。
【００３９】
更に、スライドロック手段３５を設けているので、ロックノブ３８を緩めて薄型テレビ１３を前後方向にスライド操作し、ロックノブ３８を締め付けて任意の位置に薄型テレビ１３を固定できるので、薄型テレビ１３のスライド操作抵抗を小さく設定して、スライド操作性を高めつつ、所望位置へスライド操作した状態でのスイベル方向やチルト方向への薄型テレビ１３の回動操作性を向上できる。
【００４０】
尚、支持装置２０としては、薄型テレビ１３をチルト方向及びスイベル方向に回動操作可能なものであれば、前述した構成以外のものを採用することができ、チルト制限手段２５に関しても、スイベル方向基準位置において、設定角度Ｔθ２以上に収納姿勢側へ薄型テレビ１３をチルト操作することを制限できるように構成されていれば、前述の構成以外のものを採用することができる。
【図面の簡単な説明】
【００４１】
【図１】支持装置及び薄型テレビを組み付けた床頭台の斜視図
【図２】薄型テレビを正面に向けた状態での支持装置の斜視図
【図３】薄型テレビを収納姿勢に保持させた状態での支持装置の斜視図
【図４】支持装置の側面図
【図５】支持装置の要部切欠き正面図
【図６】図５のVI-VI線断面図
【図７】支持装置のスライド方向案内手段付近の分解斜視図
【図８】支持装置のチルト方向案内手段の分解斜視図
【図９】支持装置のスイベル方向案内手段とチルト案内手段と支持フレームの分解斜視図
【図１０】図５のX-X線断面図
【図１１】薄型テレビを収納姿勢に保持した状態での図５のX-X線断面図
【図１２】図１０のXII-XII線断面図
【図１３】図１１のXIII-XIII線断面図
【符号の説明】
【００４２】
１      床頭台                ２      床頭台本体
３      キャスター            ４      開き戸
５      収納ボックス          ６      上棚
７      下棚                  ８      収納スペース
９      食事天板              １０    引き出し
１１    支持棒                １２    上板
１３    薄型テレビ            １４    課金装置
１５    テレビ収容部
２０    支持装置              ２１    支持アーム
２２    スライド方向案内手段  ２３    スイベル方向案内手段
２４    チルト方向案内手段    ２５    チルト制限手段
３０    ベースフレーム        ３０ａ  側壁部
３０ｂ  取付壁部              ３０ｃ  前壁部
３０ｄ  作業孔                ３１    ガイドスリット
３２    スライド部材          ３２ａ  側壁部
３２ｂ  下壁部                ３３    ガイド輪
３４    軸部材                ３５    スライドロック手段
３６    ストッパー部材        ３６ａ  案内部
３６ｂ  押圧部                ３７    ネジ棒
３８    ロックノブ
４０    ガイド板              ４１    スイベル部材
４１ａ  上壁部                ４１ｂ  側壁部
４１ｃ  挿通孔                ４２    ヒンジ手段
４３    支軸                  ４３ａ  鍔部
４３ｂ  ネジ部                ４３ｃ  軸部
４４    摩擦板                ４４ａ  係止爪
４５    ウェーブワッシャ      ４６    受け板
４７    挿通孔                ４８    挿通孔
４９ａ  スプリングワッシャ    ４９ｂ  座金
５０    ナット部材            ５１    係止孔
５２    角度規制ピン          ５３    開口部
５３ａ  規制縁                ５４    取付板
５４ａ  取付面                ５５    補強板
５６    連結板                ５９    保持手段
６０    ヒンジ手段            ６１    支軸
６１ａ  鍔部                  ６１ｂ  係止軸部
６１ｃ  軸部                  ６２    摩擦板
６３    ウェーブワッシャ      ６４    スペーサ板
６５    受け板                ６６    挿通孔
６７    係合孔                ６８    固定ネジ
６８ａ  スプリングワッシャ    ６８ｂ  座金
６９    嵌合孔                ７０    係止爪
７１    係合片                ７２    チルト上限規制部
７３    チルト下限規制部      ７４    案内部材
７５    規制ピン              ７６    弾性部材
７７    嵌合孔                ７８    ロック孔
７９    切欠部                ８０    ロックピン
８１    チルト制限部          ８２    チルト許容スリット
８４    カバー部材            ８５    スリット
８６    挿通孔                ８７    シール
８８    シール
９０    補強部材              ９１    固定片
【図１】
2006246192.tif 000003
【図２】
2006246192.tif 000004
【図３】
2006246192.tif 000005
【図４】
2006246192.tif 000006
【図５】
2006246192.tif 000007
【図６】
2006246192.tif 000008
【図７】
2006246192.tif 000009
【図８】
2006246192.tif 000010
【図９】
2006246192.tif 000011
【図１０】
2006246192.tif 000012
【図１１】
2006246192.tif 000013
【図１２】
2006246192.tif 000014
【図１３】
2006246192.tif 000015